(57)【要約】【課題】貯湯給湯装置の梱包構造において、梱包後に入付品の内容や数量を外部から容易に視認可能なもの、等を提供することである。【解決手段】貯湯給湯装置１を梱包する梱包構造１０は、貯湯給湯装置１の天部を覆う天部梱包材１１と貯湯給湯装置１の前部と後部を夫々覆う前部梱包材１２と後部梱包材１３とを備え、貯湯給湯装置１の施工時に使用する付属部品類及び取扱説明書等の入付品２１を透明な入付品収納袋２２に収納し、梱包構造１０の内側領域のうち入付品収納袋２２内の入付品２１の全体を外部から視認可能な位置であって貯湯給湯装置１の下部の配管接続部３に入付品収納袋２２を配置している。【選択図】図１
2016060533.tif 000002
【特許請求の範囲】
【請求項１】
貯湯給湯装置を梱包する梱包構造であって、前記貯湯給湯装置の天部を覆う天部梱包材と前記貯湯給湯装置の前部と後部を夫々覆う前部梱包材と後部梱包材とを備えた梱包構造において、
前記貯湯給湯装置の施工時に使用する付属部品類及び取扱説明書等の入付品を透明な入付品収納袋に収納し、
前記梱包構造の内側領域のうち前記入付品収納袋内の前記入付品の全体を外部から視認可能な位置に前記入付品収納袋を配置することを特徴とする貯湯給湯装置の梱包構造。
【請求項２】
前記入付品収納袋は、前記貯湯給湯装置の下部の配管接続部に配置されることを特徴とする請求項１に記載の貯湯給湯装置の梱包構造。
【請求項３】
前記前部梱包材と前記後部梱包材との間には、前記入付品収納袋を視認可能で且つ入換え可能な隙間が形成されていることを特徴とする請求項１に記載の貯湯給湯装置の梱包構造。
【発明の詳細な説明】
【技術分野】
【０００１】
本発明は貯湯給湯装置の梱包構造に関し、特に貯湯給湯装置の梱包後の入付品に対する視認性を改善したものに関する。
【背景技術】
【０００２】
従来から、大容量の湯水を貯留可能な貯湯タンクを備え、１又は複数の給湯先に湯水を供給する貯湯給湯装置が実用に供されている。この貯湯給湯装置は、貯湯タンク内の湯水を、例えば、夜間割引の安価な電力を利用して、ヒートポンプ式熱源機等の外部熱源機や貯湯タンク内に設置された加熱ヒータ等の内部熱源機で加熱して、その加熱された湯水を貯湯タンクに貯留しておき、給湯栓や風呂等の所望の給湯先に給湯するものである。
【０００３】
上記の貯湯給湯装置の梱包構造としては、一般的に、貯湯給湯装置の底部をパレット部材（搬送用固定架台）に載置支持し、貯湯給湯装置の天部を天部梱包材で覆い、貯湯給湯装置の前部と後部を前部梱包材と後部梱包材とで夫々覆い、これら梱包材をバンド部材等で固定することで貯湯給湯装置を梱包状態にする梱包構造が一般に知られている。
【０００４】
ところで、貯湯給湯装置の梱包時には、施工時に使用する付属部品類及び取扱説明書等の入付品が同梱される。この貯湯給湯装置の入付品は、従来では、段ボール材等からなる梱包箱に収納されて梱包構造の内部に配置されているが、梱包箱を使用する場合、貯湯給湯装置の梱包後に入付品を外部から視認できないという問題がある。
【０００５】
そこで、上記の問題を解決する為に、例えば、特許文献１の便器の梱包構造においては、便器の上部を覆う段ボール製の外箱と、この外箱の内側に設けられたモールド成形品からなる緩衝材と、この緩衝材に下方開の凹状に形成され且つ便器の上面に臨む付属品収納部とを備え、外箱と緩衝材とに外部から付属品収納部に連なる１対の確認穴を夫々形成し、これら１対の確認穴を介して、付属品収納部に収納された付属品（入付品）を外部から視認可能にした構造が開示されている。
【先行技術文献】
【特許文献】
【０００６】
【特許文献１】特開２００７−１８６２３５号公報
【発明の概要】
【発明が解決しようとする課題】
【０００７】
しかし、特許文献１の梱包構造では、梱包後に外部から１対の確認穴を介して入付品の同梱忘れを確認することはできるが、この１対の確認穴は、付属品収納部に収納された入付品と比較して小さく形成されているので、外部からでは入付品の一部しか視認できず、入付品の内容まで確認するには困難であるという問題がある。特に、貯湯給湯装置においては、納入先に応じて入付品の内容や数量が異なるので、梱包後に入付品の内容や数量を確認したいと言う要望があるが、梱包後に入付品の内容や数量を確実に確認する為には、梱包を一度解除する必要がある。
【０００８】
本発明の目的は、貯湯給湯装置の梱包構造において、梱包後に入付品の内容や数量を外部から容易に視認可能なもの、等を提供することである。
【課題を解決するための手段】
【０００９】
請求項１の貯湯給湯装置の梱包構造は、貯湯給湯装置を梱包する梱包構造であって、前記貯湯給湯装置の天部を覆う天部梱包材と前記貯湯給湯装置の前部と後部を夫々覆う前部梱包材と後部梱包材とを備えた梱包構造において、前記貯湯給湯装置の施工時に使用する付属部品類及び取扱説明書等の入付品を透明な入付品収納袋に収納し、前記梱包構造の内側領域のうち前記入付品収納袋内の前記入付品の全体を外部から視認可能な位置に前記入付品収納袋を配置することを特徴としている。
【００１０】
請求項２の貯湯給湯装置の梱包構造は、請求項１の発明において、前記入付品収納袋は、前記貯湯給湯装置の下部の配管接続部に配置されることを特徴としている。
【００１１】
請求項３の貯湯給湯装置の梱包構造は、請求項１の発明において、前記前部梱包材と前記後部梱包材との間には、前記入付品収納袋を視認可能で且つ入換え可能な隙間が形成されていることを特徴としている。
【発明の効果】
【００１２】
請求項１の発明によれば、貯湯給湯装置の施工時に使用する付属部品類及び取扱説明書等の入付品を透明な入付品収納袋に収納し、梱包構造の内側領域のうち入付品収納袋内の入付品の全体を外部から視認可能な位置に入付品収納袋を配置するので、貯湯給湯装置の梱包を外さなくても、梱包構造の内側に配置された入付品の内容や数量を外部から容易に確認することができる。
【００１３】
請求項２の発明によれば、入付品収納袋は、貯湯給湯装置の下部の配管接続部に配置されるので、貯湯給湯装置の内部配管と外部配管とを接続する為の既存のスペースを有効に活用することができる。配管接続部は、出荷前試験等が原因で水滴が残留している可能性があるが、入付品を透明な入付品収納袋に収納しているので、入付品を配管接続部に配置しても、入付品への水滴の付着を確実に防止することができる。
【００１４】
請求項３の発明によれば、前部梱包材と後部梱包材との間には、入付品収納袋を視認可能で且つ入換え可能な隙間が形成されているので、入付品収納袋内の入付品の内容や数量が間違っている場合は、前部梱包材と後部梱包材との間の隙間を介して入付品収納袋を容易に入換えることができる。
【図面の簡単な説明】
【００１５】
【図１】本発明の実施例に係る貯湯給湯装置とその梱包構造の斜視図である。
【図２】貯湯給湯装置とその梱包構造の分解斜視図である。
【図３】入付品と入付品収納袋と収納ケースの斜視図である。
【図４】貯湯給湯装置とその梱包構造の下部の正面図である。
【発明を実施するための形態】
【００１６】
以下、本発明を実施するための形態について実施例に基づいて説明する。
【実施例】
【００１７】
先ず、本発明の梱包構造が適用される貯湯給湯装置について説明する。
図１，図２に示すように、貯湯給湯装置１は、図示は省略するが、例えば、給湯用湯水を貯える貯湯タンク、この貯湯タンクの湯水を再加熱する補助熱源機、ポンプとセンサ類と配管・配管継手類を含む補機類、制御ボックス等を有し、これらが外装ケース２の内部に収納されて構成されている。
【００１８】
外装ケース２の内部において、貯湯給湯装置１の後部に円筒状の貯湯タンクが配設され、貯湯給湯装置１の前部の上部と中段部に補助熱源機と補機類と制御ボックス等が配設されている。尚、図１に矢印で示す前後左右を前後左右として説明する。図１，図２に示すように、貯湯給湯装置１は、前後幅と、この前後幅よりも小さな左右幅を有する。
【００１９】
貯湯給湯装置１の前部の下部であって外装ケース２の前側下部には、側面視逆Ｌ字状の仕切り板で区画され且つ外部機器側の配管に接続される外部開放状の配管接続部３が設けられている。配管接続部３には、各種の配管の外部配管と内部配管とを接続する為の複数の配管接続金具（図示略）が設置されている。この切欠き状の配管接続部３の前後幅は、貯湯給湯装置１の前後幅の１／２〜３／５程度の長さに設定され、配管接続部３の上下幅は、貯湯給湯装置１の上下幅の１／４〜１／３程度の長さに設定されている。
【００２０】
図２に示すように、貯湯給湯装置１は、外装ケース２の外周側近傍部の四隅部に立設され且つ上下方向に延びる複数の垂直脚部材５と、これら垂直脚部材５の下端部を連結し且つ前後方向に延びる１対の水平脚部材６とを備えている。
【００２１】
図４に示すように、各水平脚部材６は、下板部６ａと、この下板部６ａの左右方向外側端部から直角に上方に延びる縦板部６ｂと、この縦板部６ｂの上端部から直角に左右方向内側へ延び且つ下板部６ａより左右幅が小さい上板部６ｃとを備え、正面視にてコ字状に夫々形成されている。下板部６ａの前後両端部には、ビス固定用のＵ字状の切欠き部６ｄが夫々形成されている。
【００２２】
次に、本発明に関連する貯湯給湯装置１の梱包構造１０について説明する。
図１，図２に示すように、梱包構造１０は、略直方体状の貯湯給湯装置１を梱包する為のものであり、貯湯給湯装置１の天部を覆う天部梱包材１１と、貯湯給湯装置１の前部と後部を夫々覆う前部梱包材１２と後部梱包材１３と、貯湯給湯装置１を支持すると共に貯湯給湯装置１を運搬する為のパレット部材１４と、１対の水平脚部材６間に配置された矩形状の収納ケース１５等を備えている。
【００２３】
天部梱包材１１は、本体部１１ａと、この本体部１１ａとは別部材で構成された緩衝部１１ｂとを備えている。本体部１１ａは、段ボール材から下方開放状の箱体に構成されている。本体部１１ａの前後幅は、貯湯給湯装置１の前後幅より僅かに長く設定され、本体部１１ａの左右幅は、貯湯給湯装置１の左右幅より僅かに長く設定されている。
【００２４】
本体部１１ａの内側には、貯湯給湯装置１の上部と本体部１１ａとの間に生じる隙間を緩衝する内側緩衝部材（図示略）が設けられている。本体部１１ａは、内側緩衝部材を介在させた状態で、貯湯給湯装置１の上部に外嵌可能なサイズに構成されている。つまり、本体部１１ａは貯湯給湯装置１の上部に、内側緩衝部材の厚みに対応する所定隙間を空けて外嵌可能に構成されている。
【００２５】
緩衝部１１ｂは、段ボール材から構成されている。緩衝部１１ｂは、複数の貯湯給湯装置１を納入先へ輸送する際に、複数の貯湯給湯装置１をトラックの荷台上に列状に配列した状態で、貯湯給湯装置１の移動や揺動を防止する為の１対の緩衝機能部１１ｃを備えている。１対の緩衝機能部１１ｃは、段ボール材を巻いた角筒体に夫々構成されている。緩衝部１１ｂの左右幅は、パレット部材１４の左右幅と略同一の幅に設定されている。
【００２６】
前部梱包材１２と後部梱包材１３は、段ボール材でもって側方開口状の平面視コ字状に夫々形成され、貯湯給湯装置１の上下方向に沿うように縦方向に延びている。前部梱包材１２と後部梱包材１３の上下方向の全長は、貯湯給湯装置１の全長と略同一に設定されている。
【００２７】
前部梱包材１２と後部梱包材１３は、貯湯給湯装置１の前側部分と後側部分を覆い保護するように装着される。前部梱包材１２と後部梱包材１３の上端部分は、天部梱包材１１の本体部１１ａの内側に挿入され、前部梱包材１２と後部梱包材１３の下端部は、１対の水平脚部材６の上板部６ｃの前後両端部に載置される。
【００２８】
パレット部材１４は、前後方向に延びる平板状の１対の木製の板部材１４ａと、これら１対の板部材１４ａの上に配置されて左右方向に延びる３つの木製の角部材１４ｂとを備え、これら木製部材を井桁状に組み合わせたものである。パレット部材１４の前後幅は、貯湯給湯装置１の水平脚部材６の前後幅と略同じ幅に設定され、パレット部材１４の左右幅は、貯湯給湯装置１の左右幅よりも広く設定されている。前後両側の２つの角部材１４ｂの左右両端部には、ボルト孔（図示略）が夫々形成されている。
【００２９】
貯湯給湯装置１をパレット部材１４に固定する場合、１対の水平脚部材６を３つの木製の角部材１４ｂに載置して、４本の木ネジ７を水平脚部材６の４つの切欠き部６ｄに夫々挿通して、４本の木ネジ７の先端部を前後両側の角部材１４ｂに夫々螺合することで、貯湯給湯装置１をパレット部材１４に固定する。
【００３０】
尚、図示は省略するが、梱包状態の貯湯給湯装置１の周囲は、外装ケース２を保護する為の透明なビニールシートで覆われている。即ち、貯湯給湯装置１の梱包前に、ビニールシートを貯湯給湯装置１の上方から被せ、外装ケース２の全体をビニールシートで保護した状態で、貯湯給湯装置１の前部及び後部に前部梱包材１２と後部梱包材１３とを夫々取り付け、貯湯給湯装置１の天部と前部梱包材１２の上端部と後部梱包材１３の上端部とを天部梱包材１１で覆う。
【００３１】
図１に示すように、貯湯給湯装置１に天部梱包材１１と前部梱包材１２と後部梱包材１３とパレット部材１４を装着した状態において、貯湯給湯装置１の前部に縦巻き状態に掛け回す２本のバンド部材１６ａと、貯湯給湯装置１の後部に縦巻き状態に掛け回す２本のバンド部材１６ｂと、貯湯給湯装置１の中段部に水平に掛け回す１本のバンド部材１６ｃとが設けられている。
【００３２】
貯湯給湯装置１の前部を縛る２本のバンド部材１６ａは、天部梱包材１１の前端部を締め付け、また、後部を縛る２本のバンド部材１６ｂは、天部梱包材１１の後端部を締め付ける。これら４本のバンド部材１６ａ，１６ｂにより、天部梱包材１１は貯湯給湯装置１に対して固定される。１本のバンド部材１６ｃは、４本のバンド部材１６ａ，１６ｂの内周側に配置され、このバンド部材１６ｃにより、前部梱包材１２と後部梱包材１３が貯湯給湯装置１に対して固定される。
【００３３】
次に、収納ケース１５について説明する。
図２，図４に示すように、収納ケース１５は、後述する入付品２１を収納した入付品収納袋２２を載置する為のものであり、配管接続部３の下端部に配置されている。図３に示すように、収納ケース１５は、正面視にて上方開口した扁平なコ字状の収納部１５ａと、この収納部１５ａの前後方向の中央部分における左右方向の両端部から外側に夫々突出する１対の係止部１５ｂとを備えている。
【００３４】
収納ケース１５は、１枚の段ボール材を折り曲げて形成されている。即ち、１枚の段ボール材に１対の係止部１５ｂに対応する部分に１対の切取り線を設け、この１対の切取り線の両端部に夫々連なるように前後方向に延びる１対の折り線を設け、この１対の折り線に沿って段ボール材の左右両端部を上方に直角に折り返すことで収納部１５ａが形成されると共に、１対の係止部１５ｂが切取り線で分断されて形成される。
【００３５】
収納ケース１５の前後幅は、貯湯給湯装置１の配管接続部３の前後幅と略同じ長さに設定されている。収納ケース１５の上下幅は、水平脚部材６の上下幅より長く設定されている。１対の係止部１５ｂを含む収納ケース１５の左右幅は、１対の水平脚部材６の縦板部６ｂの間の長さより僅かに短く且つ上板部６ｃの間の長さより僅かに長く設定され、収納部１５ａの左右幅は、１対の水平脚部材６の上板部６ｃの間の長さより僅かに短く設定されている。
【００３６】
収納ケース１５を配管接続部３に配置する場合、収納ケース１５の１対の係止部１５ｂを前方から１対の水平脚部材６の下板部６ａと上板部６ｃとの間に挿入し、配管接続部３の奥壁部を構成する仕切板に当接するまで差し込むことで、収納ケース１５を１対の水平脚部材６間に装着する。
【００３７】
次に、入付品２１について説明する。
図１〜図４示すように、貯湯給湯装置１の施工時に使用する付属部品類及び取扱説明書等の入付品２１は、透明な入付品収納袋２２に収納され、梱包構造１０の内側領域のうち入付品収納袋内２２の入付品２１の全体を外部から視認可能な位置であって配管接続部３の収納ケース１５の上に横向き姿勢にして配置されている。
【００３８】
入付品２１を収納した入付品収納袋２２は、可撓性を有する透明な合成樹脂製の袋（ビニール袋）からなる。このため、入付品収納袋２２を介して入付品２１の内容や数量を外部から容易に確認することができる。
【００３９】
図１に示すように、梱包状態の貯湯給湯装置１の左右両側において、前部梱包材１２と後部梱包材１３との間には、入付品収納袋２２を視認可能で且つ入換え可能な隙間２３が上下方向に延びるように夫々形成されている。各隙間２３の前後幅は、貯湯給湯装置１の前後幅の１／３〜１／４程度の長さに夫々設定されている。梱包状態の貯湯給湯装置１の左右両側の下部において、隙間２３によって外部と配管接続部３とを連通する縦長の矩形開口が夫々形成されている。
【００４０】
各縦長の矩形開口の面積は、梱包解除状態の配管接続部３の左右両側の開口面積の１／３〜１／２程度に夫々設定されると共に、入付品収納袋２２を縦向き姿勢の状態で又は縦向き姿勢にしてある程度撓ませた状態で挿通可能な面積に夫々設定されている。隙間２３によって形成された縦長の矩形開口を介して、収納ケース１５に収納状態の入付品収納袋２２の全体を外部から視認することができ、入付品２１の内容や数量が間違っている場合、入付品２１を入付品収納袋２２ごと入換えることができる。
【００４１】
また、図４に示すように、梱包状態の貯湯給湯装置１の前側下部において、貯湯給湯装置１の１対の水平脚部材６と前部梱包材１２とパレット部材１４との間には、入付品収納袋２２を視認可能で且つ入換え可能な第２の隙間２４が形成されている。第２の隙間２４は、横長の矩形開口状に形成され、梱包状態の貯湯給湯装置１の前側下部において外部と配管接続部３とを連通している。
【００４２】
第２の隙間２４の上下幅は、入付品２１が収納ケース１５から外部に滑り落ちないように、入付品２１を収納した入付品収納袋２２の厚みより小さく設定されている。第２の隙間２４を介して、収納ケース１５に収納状態の入付品収納袋２２の前端部を外部から視認することができ、入付品２１の内容や数量が間違っている場合、前部梱包材１２を少し持ち上げて第２の隙間２４を上下方向に広げることで、入付品２１を入付品収納袋２２ごと入換えることができる。
【００４３】
次に、本発明の貯湯給湯装置１の梱包構造１０の作用及び効果について説明する。
貯湯給湯装置１の施工時に使用する付属部品類及び取扱説明書等の入付品２１を透明な入付品収納袋２２に収納し、梱包構造１０の内側領域のうち入付品収納袋２２内の入付品２１の全体を外部から視認可能な位置（配管接続部３）に入付品収納袋２２を配置するので、貯湯給湯装置１の梱包を外さなくても、梱包構造１０の内側に配置された入付品２１の内容や数量を外部から容易に確認することができる。
【００４４】
また、入付品収納袋２２は、貯湯給湯装置１の下部の配管接続部３に配置されるので、貯湯給湯装置１の内部配管と外部配管とを接続する為の既存のスペースを有効に活用することができる。配管接続部３は、出荷前試験等が原因で水滴が残留している可能性があるが、入付品２１を透明な入付品収納袋２２に収納しているので、入付品２１を配管接続部３に配置しても、入付品２１への水滴の付着を確実に防止することができる。
【００４５】
さらに、前部梱包材１２と後部梱包材１３との間には、入付品収納袋２２を視認可能で且つ入換え可能な隙間２３が形成されているので、入付品収納袋２２内の入付品２１の内容や数量が間違っている場合は、前部梱包材１２と後部梱包材１３との間の隙間２３を介して入付品収納袋２２を容易に入換えることができる。
【００４６】
次に、前記実施例を部分的に変更した形態について説明する。
［１］前記実施例において、梱包構造１０の内側領域のうち入付品収納袋２２内の入付品２１の全体を外部から視認可能な位置に入付品収納袋２２を配置可能な構造であれば、その構造は適宜変更可能である。
【００４７】
［２］その他、当業者であれば、本発明の趣旨を逸脱することなく、前記実施例に種々の変更を付加した形態で実施可能であり、本発明はそのような変更形態を包含するものである。
【符号の説明】
【００４８】
１      貯湯給湯装置
３      配管接続部
１０    梱包構造
１１    天部梱包材
１２    前部梱包材
１３    後部梱包材
２１    入付品
２２    入付品収納袋
２３    隙間
【図１】
2016060533.tif 000003
【図２】
2016060533.tif 000004
【図３】
2016060533.tif 000005
【図４】
2016060533.tif 000006